【手続補正書】
【提出日】平成20年2月13日(2008.2.13)
【手続補正１】
【補正対象書類名】明細書
【補正対象項目名】特許請求の範囲
【補正方法】変更
【補正の内容】
【特許請求の範囲】
【請求項１】 超音波システム（１０）において、検査対象物（Ｓ）からドップラー及びＢモード・データを取得して表示する装置であって、
前記検査対象物内へ超音波を送信するように接続されている超音波送信器（５０）と、
前記検査対象物から後方散乱された超音波に応答して、後方散乱信号を作成するように接続されている受信器（５０）と、
前記後方散乱信号に応答して、前記対象物内の深さ変分の所定の範囲を表す複数のドップラー信号サンプルを作成する複数の距離ゲート（７１〜７４）と、
前記ドップラー信号サンプルに応答して、前記深さ変分の範囲を表す複数のドップラー周波数信号を作成すると共に、前記後方散乱信号に応答して、前記深さ変分の範囲を表すＢモード・データを作成する論理装置（２０，３０）と、
前記Ｂモード・データに応答して、前記深さ変分の範囲内の前記対象物の一部を表すＢモード画像を作成すると共に、前記ドップラー周波数信号に応答して、第１の軸に沿って前記ドップラー周波数を表し且つ第２の軸に沿って前記深さ変分の範囲を表すドップラー画像を作成する表示装置（６０）と、
を有し、
前記深さ変分の範囲を表す前記ドップラー画像の一部は、前記深さ変分の範囲内の前記対象物の一部を表すＢモード画像に重ね合わされる、検査対象物（Ｓ）からドップラー及びＢモード・データを取得して表示する装置。
【請求項２】 前記後方散乱信号は前記対象物内の第１の関心領域（ＲＯＩ１）から受信されて前記ドップラー信号サンプルを生じさせると共に、前記対象物内の第２の関心領域（ＲＯＩ２）から受信され、前記論理装置（２０）は前記Ｂモード・データを、第１のフレーム速度を持つ、前記第１の関心領域を表す第１群のフレームの形態、及び前記第１のフレーム速度より低い第２のフレーム速度を持つ、前記第２の関心領域を表す第２群のフレームの形態で作成する、請求項１記載の装置。
【請求項３】 前記超音波は、前記対象物内の第１の関心領域（ＲＯＩ１）へ方向付けされた第１のドップラー・ビーム（Ｂ１）と、前記対象物内の第２の関心領域（ＲＯＩ２）へ方向付けされた第２のドップラー・ビーム（Ｂ２）とを含んでおり、前記後方散乱信号は、前記第１の関心領域から後方散乱された超音波に応答して作成された第１群の後方散乱信号と、前記第２の関心領域から後方散乱された超音波に応答して作成された第２群の後方散乱信号とを含んでおり、前記複数のドップラー信号サンプルは、前記第１群の後方散乱信号に応答して作成された第１群のドップラー信号サンプルと、前記第２群の後方散乱信号に応答して作成された第２群のドップラー信号サンプルとを含んでおり、また前記複数のドップラー信号サンプルは、前記第１群のドップラー信号サンプルに応答して作成された第１の複数のドップラー周波数信号と、前記第２群のドップラー信号サンプルに応答して作成された第２の複数のドップラー周波数信号とを含んでおり、前記ドップラー画像は、前記第１の複数のドップラー周波数信号に応答して作成された第１のドップラー画像と、前記第２の複数のドップラー周波数信号に応答して作成された第２のドップラー画像とを含んでいる、請求項１記載の装置。
【請求項４】 前記Ｂモード・データは、前記第１群の後方散乱信号に応じた第１のＢモード・データと、前記第２群の後方散乱信号に応じた第２のＢモード・データとを含んでおり、前記Ｂモード画像は、前記第１のＢモード・データに応答して作成された第１のＢモード画像と、前記第２のＢモード・データに応答して作成された第２のＢモード画像とを含んでいる、請求項３記載の装置。
【請求項５】 前記第１のドップラー画像が前記第１のＢモード画像の上に重ねて表示され、前記第２のドップラー画像が前記第２のＢモード画像の上に重ねて表示されている、請求項４記載の装置。
【請求項６】 超音波システム（１０）において、検査対象物からドップラー及びＢモード・データを取得して表示する方法であって、
検査対象物内へ超音波を送信し、 前記検査対象物から後方散乱された超音波に応答して、後方散乱信号を作成し、
前記後方散乱信号に応答して、前記対象物内の深さ変分の所定の範囲を表す複数のドップラー信号サンプルを作成し、
前記ドップラー信号サンプルに応答して、前記深さ変分の所定の範囲を表す複数のドップラー周波数信号を作成し、
前記後方散乱信号に応答して、Ｂモード・データを前記深さ変分の範囲において作成し、
前記Ｂモード・データに応答して、前記深さ変分の範囲内の前記対象物の一部を表すＢモード画像を作成し、
前記ドップラー周波数信号に応答して、第１の軸に沿って前記ドップラー周波数を表し且つ第２の軸に沿って前記深さ変分を表すドップラー画像を表示することを有している、検査対象物からドップラー及びＢモード・データを取得して表示し、
前記深さ変分の範囲を表す前記ドップラー画像の一部は、前記深さ変分の範囲内の前記対象物の一部を表すＢモード画像に重ね合わされる方法。
【請求項７】 前記後方散乱信号は前記対象物内の第１の関心領域から受信されて前記ドップラー信号サンプルを生じさせると共に、前記対象物内の第２の関心領域から受信され、前記Ｂモード・データは、第１のフレーム速度を持つ、前記第１の関心領域を表す第１群のフレームの形態、及び前記第１のフレーム速度より低い第２のフレーム速度を持つ、前記第２の関心領域を表す第２群のフレームの形態で作成される、請求項６記載の方法。
【請求項８】 前記超音波は、前記対象物内の第１の関心領域へ方向付けされた第１のドップラー・ビームと、前記対象物内の第２の関心領域へ方向付けされた第２のドップラー・ビームとを含んでおり、前記後方散乱信号は、前記第１の関心領域から後方散乱された超音波に応答して作成された第１群の後方散乱信号と、前記第２の関心領域から後方散乱された超音波に応答して作成された第２群の後方散乱信号とを含んでおり、前記複数のドップラー信号サンプルは、前記第１群の後方散乱信号に応答して作成された第１群のドップラー信号サンプルと、前記第２群の後方散乱信号に応答して作成された第２群のドップラー信号サンプルとを含んでおり、また前記複数のドップラー信号サンプルは、前記第１群のドップラー信号サンプルに応答して作成された第１の複数のドップラー周波数信号と、前記第２群のドップラー信号サンプルに応答して作成された第２の複数のドップラー周波数信号とを含んでおり、前記ドップラー画像は、前記第１の複数のドップラー周波数信号に応答して作成された第１のドップラー画像と、前記第２の複数のドップラー周波数信号に応答して作成された第２のドップラー画像とを含んでいる、請求項６記載の方法。
【請求項９】 前記Ｂモード・データは、前記第１群の後方散乱信号に応じた第１のＢモード・データと、前記第２群の後方散乱信号に応じた第２のＢモード・データとを含んでおり、前記Ｂモード画像は、前記第１のＢモード・データに応答して作成された第１のＢモード画像と、前記第２のＢモード・データに応答して作成された第２のＢモード画像とを含んでいる、請求項８記載の方法。
【請求項１０】 前記表示することは、前記第１のドップラー画像を前記第１のＢモード画像の上に重ねて表示し、前記第２のドップラー画像を前記第２のＢモード画像の上に重ねて表示することを含んでいる、請求項６記載の方法。